(57)【要約】      （修正有）【課題】放熱表面を有する発光装置を提供する。【解決手段】発光装置は、放熱ベース１０２と、発光ユニット１０４と、ハウジング１１０と、第一導電コンタクト１０６と、第二導電コンタクト１０８と、を備える。放熱ベースは、上部１０２ａと下部１０２ｂを含む。放熱ベースの下部は、露出した放熱表面を有する。発光ユニットは、放熱ベースの上部の上に位置し、少なくとも放熱ベースに熱伝導性を与える。発光ユニットは、発光する少なくとも一つの発光ダイオード、及び、第一電極と第二電極を有する。発光ダイオードが発光する際に発熱が起こる。少なくとも一つの発光ダイオードは、少なくとも一つの発光ダイオードに入力するための電力を受信するための電力入力端を備える。【選択図】図２Ａ
2010114435.tif 000002
【特許請求の範囲】
【請求項１】
発光装置であって、
上部と下部を含み、前記下部が露出した放熱表面を有する放熱ベースと、
発熱とともに発光し、かつ、交流電流入力端または直流電流入力端のいずれかからなる電力入力端であって、入力電力を受信するための電力入力端を備える少なくとも一つの発光ダイオードと、前記少なくとも一つの発光ダイオードの前記電力入力端に電気的に接続される第一電極及び第２電極と、を有し、前記放熱ベースの前記上部の上に位置し、少なくとも前記放熱ベースに熱伝導性を与える発光ユニットと、
前記発光ユニットの少なくとも一部を囲み、前記放熱ベースのうち少なくとも前記上部を被覆するハウジングと、
前記放熱ベースの近傍または前記放熱ベースの下に位置し、外部の電源からの電力を受信するように構成される第一導電コンタクト及び第二導電コンタクトと、を備え、
前記第一導電コンタクトは前記第一電極に電気的に接続され、前記第二導電コンタクトは前記第二電極に電気的に接続されることを特徴とする発光装置。
【請求項２】
前記放熱ベースの前記下部の下に位置し、少なくとも二つの導電コンタクトであって、環状導電コンタクト及び先端導電コンタクトを含む導電コンタクトを有するコンタクトベースと、
前記放熱ベースと前記コンタクトベース間に位置し、前記放熱ベースの前記下部に搭載される絶縁体と、を更に有し、
前記先端導電コンタクトは、前記環状導電コンタクトから絶縁され、前記第一導電コンタクトとして機能し、前記環状導電コンタクトは、前記第二導電コンタクトとして機能することを特徴とする請求項１に記載の発光装置。
【請求項３】
前記コンタクトベースは、標準の電球のコンタクト設計の一つと互換性があるコンタクト設計を含み、少なくとも一つの電球と前記発光装置との間の互換性を提供することを特徴とする請求項２に記載の発光装置。
【請求項４】
前記放熱ベースの少なくとも一部は導電材料を含むことを特徴とする請求項１に記載の発光装置。
【請求項５】
前記第一電極及び前記第二電極は、前記放熱ベースの少なくとも一部を通過する二個の導電リードを有することを特徴とする請求項１に記載の発光装置。
【請求項６】
前記ハウジングは、少なくとも一部が透明である材料を含むとともに、封閉ハウジング又は少なくとも二個の放熱用の開口を有する放熱ハウジングのいずれかを含むことを特徴とする請求項１に記載の発光装置。  
【請求項７】
前記の少なくとも一つの発光ダイオードは、ブリッジ整流回路に配列された少なくとも一つの発光ダイオードを含むＡＣ発光ダイオードアセンブリの一部を含むことを特徴とする請求項１に記載の発光装置。
【請求項８】
前記の少なくとも一つの発光ダイオードは、少なくとも一つのブリッジ整流回路に結合されたＤＣ発光ダイオードアセンブリの一部を含むことを特徴とする請求項１に記載の発光装置。  
【請求項９】
前記放熱ベースの前記上部は、前記発光ユニットを搭載するための上向き突起を有することを特徴とする請求項１に記載の発光装置。
【請求項１０】
前記発光装置中の少なくとも一つのギャップを封止するためのシーリング材料を更に含むことを特徴とする請求項１に記載の発光装置。
【請求項１１】
前記第一電極及び前記第二電極の少なくともいずれかに電気的に接続される電力サージ抑制器を更に有することを特徴とする請求項１に記載の発光装置。
【請求項１２】
発光装置であって、
上部と下部を含み、前記下部が露出した放熱表面を有する放熱ベースと、
発熱とともに発光し、かつ、交流電流入力端または直流電流入力端のいずれかからなる電力入力端であって、入力電力を受信するための電力入力端を備える少なくとも一つの発光ダイオードと、前記少なくとも一つの発光ダイオードの前記電力入力端に電気的に接続される第一電極及び第２電極と、を有し、前記放熱ベースの前記上部の上に位置し、少なくとも前記放熱ベースに熱伝導性を与える発光ユニットと、
前記発光ユニットの少なくとも一部を囲み、前記放熱ベースのうち少なくとも前記上部を被覆するハウジングと、
外部の電源からの電力を受信するように構成され、前記第一電極に電気的に接続される第一導電コンタクト、及び、前記第二電極に電気的に接続される第二導電コンタクトと、
前記放熱ベースの前記下部の下に位置し、少なくとも二つの導電コンタクトであって、環状導電コンタクト及び先端導電コンタクトを含む導電コンタクトを有するコンタクトベースと、を備え、
前記先端導電コンタクトは、前記環状導電コンタクトから絶縁され、前記第一導電コンタクトとして機能し、前記環状導電コンタクトは、前記第二導電コンタクトとして機能することを特徴とする発光装置。
【請求項１３】
前記放熱ベースと前記コンタクトベース間に位置する絶縁体を更に含み、前記絶縁体は前記放熱ベースの前記下部に搭載されることを特徴とする請求項１２に記載の発光装置。
【請求項１４】
前記コンタクトベースは、標準の電球のコンタクト設計の一つと互換性があるコンタクト設計を含み、少なくとも一つの電球と前記発光装置との間の互換性を提供することを特徴とする請求項１２に記載の発光装置。
【請求項１５】
前記放熱ベースの少なくとも一部は導電材料を含むことを特徴とする請求項１２に記載の発光装置。
【請求項１６】
前記第一電極及び前記第二電極は、前記放熱ベースの少なくとも一部を通過する二個の導電リードを有することを特徴とする請求項１２に記載の発光装置。
【請求項１７】
前記ハウジングは、少なくとも一部が透明である材料を含むとともに、封閉ハウジング又は少なくとも二個の放熱用の開口を有する放熱ハウジングのいずれかを含むことを特徴とする請求項１２に記載の発光装置。
【請求項１８】
前記の少なくとも一つの発光ダイオードは、ブリッジ整流回路に配列された少なくとも一つの発光ダイオードを含むＡＣ発光ダイオードアセンブリの一部を含むことを特徴とする請求項１２に記載の発光装置。
【請求項１９】
前記の少なくとも一つの発光ダイオードは、少なくとも一つのブリッジ整流回路に結合されたＤＣ発光ダイオードアセンブリの一部を含むことを特徴とする請求項１２に記載の発光装置。
【請求項２０】
前記放熱ベースの前記上部は、前記発光ユニットを搭載するための上向き突起を有することを特徴とする請求項１２に記載の発光装置。
【請求項２１】
前記発光装置中の少なくとも一つのギャップを封止するためのシーリング材料を更に含むことを特徴とする請求項１２に記載の発光装置。
【請求項２２】
前記第一電極及び前記第二電極の少なくともいずれかに電気的に接続される電力サージ抑制器を更に有することを特徴とする請求項１２に記載の発光装置。
【発明の詳細な説明】
【技術分野】
【０００１】
［優先権］
この出願は、２００８年１０月８日に出願された米国仮出願第６１/１０３，６９８号、発明の名称「ＬＥＤ電球」の優先権の利益を主張するものであり、この仮出願の全てが、ここに参照として全体として取り込まれる。
【０００２】
［技術分野］
本発明は、発光装置に関するものであって、特に、放熱表面を有する発光装置に関するものである。
【背景技術】
【０００３】
照明は現代文明にとって不可欠なものである。図１は、公知の電球を示す図である。図１を参照すると、電球１０は、ハウジング１２、ベース１４、及び、フィラメント１６からなる。電球は、フィラメント１６を非常に高い温度に加熱することにより発光する。しかし、エネルギーの大部分は発光よりもむしろ、発熱に消耗される。
【０００４】
照明の様々な形式と技術が発展し、様々な機能と用途を提供している。更に、エネルギーの供給限界のため、環境にやさしい、又は、更にエネルギー効率のよい発光源を供給することへの意識が、世界的に高まっている。発光源の製造工程におけるプロセスは、低エネルギーで、かつ、材料の消費も少ないため、発光源は、その製造プロセスの点において、より環境にやさしいといえる。また、発光源は、動作時におけるエネルギー消費が少ないため、この点からもより環境にやさしいといえる。更に、発光源は、その廃棄物の環境に与える影響が小さく、あるいは、それを構成する部品のうちいくつかの部品は容易にリサイクルできるものであるため、寿命が尽きた際においても、より環境にやさしいといえる。
【０００５】
従来の電球とこれらの電球を収容する標準的なソケット設計の人気により、現在の大多数の照明システムは一標準ソケット設計を使用し、これにより、公知の電球の使用必要性が継続して存在する。最新の、又は、更にエネルギー効率のよい光源を使用する場合、多くの用途において、現行の照明システムを代替する必要性を避ける点において長所がある。公知の電球との交換可能性、又は、公知の照明システムとの互換性を提供することで、現行の照明システムを代替することを必要とせずに、最新の照明技術を使用することへの移行を可能にする。
【０００６】
発光源の熱生成は用いられる技術のタイプによって決まる。照明システム、又は、照明装置において、十分な放熱の提供は設計検討の問題が残る。例えば、十分な放熱は、安全、効果的、及び/又は、信頼度の高い照明製品を提供する要素となる。
【０００７】
よって、公知の電球との互換性が容易で、放熱能力を提供し、公知の電球を改善する設計、又は、操作上の特徴を提供する発光装置が求められている。
【発明の概要】
【発明が解決しようとする課題】
【０００８】
本発明は、放熱表面を有する発光装置を提供し、上述の問題を改善することを目的とする。
【課題を解決するための手段】
【０００９】
一つの具体例中、本発明は、発光装置を提供する。本発明の発光装置は、放熱ベースと、発光ユニットと、ハウジングと、第一導電コンタクトと、第二導電コンタクトと、を備える。放熱ベースは、上部と下部を含む。放熱ベースの下部は、露出した放熱表面を有する。発光ユニットは、放熱ベースの上部の上に位置し、少なくとも放熱ベースに熱伝導性を与える。発光ユニットは、発光する少なくとも一つの発光ダイオード、及び、第一電極と第二電極を有する。発光ダイオードが発光する際に発熱が起こる。少なくとも一つの発光ダイオードは、少なくとも一つの発光ダイオードに入力するための電力を受信するための電力入力端を備える。電力入力端は、交流電流入力端または直流電流入力端のいずれかからなる。第一電極及び第２電極は、少なくとも一つの発光ダイオードの電力入力端に電気的に接続される。ハウジングは発光ユニットの少なくとも一部を囲み、放熱ベースのうち少なくとも上部を被覆する。第一導電コンタクトと第二導電コンタクトは、放熱ベースの近傍または放熱ベースの下に位置し、外部の電源からの電力を受信するように構成される。第一導電コンタクトは第一電極に電気的に接続され、第二導電コンタクトは第二電極に電気的に接続される。
【００１０】
もう一つの具体例中、本発明は、もう一つの発光装置を提供する。本発明のもう一つの発光装置は、放熱ベースと、発光ユニットと、ハウジングと、第一導電コンタクトと、第二導電コンタクトと、コンタクトベースと、を備える。放熱ベースは、上部と下部を含む。放熱ベースの下部は、露出した放熱表面を有する。発光ユニットは、放熱ベースの上部の上に位置し、少なくとも放熱ベースに熱伝導性を与える。発光ユニットは、発光する少なくとも一つの発光ダイオード、及び、第一電極と第二電極を有する。発光ダイオードが発光する際に発熱が起こる。少なくとも一つの発光ダイオードは、少なくとも一つの発光ダイオードに入力するための電力を受信するための電力入力端を備える。電力入力端は、交流電流入力端または直流電流入力端のいずれかからなる。第一電極及び第２電極は、少なくとも一つの発光ダイオードの電力入力端に電気的に接続される。ハウジングは発光ユニットの少なくとも一部を囲み、放熱ベースのうち少なくとも上部を被覆する。第一導電コンタクトと第二導電コンタクトは、放熱ベースの近傍または放熱ベースの下に位置し、外部の電源からの電力を受信するように構成される。第一導電コンタクトは第一電極に電気的に接続され、第二導電コンタクトは第二電極に電気的に接続される。コンタクトベースは放熱ベースの下部の下に位置し、少なくとも二つの導電コンタクトを有する。導電コンタクトは、環状導電コンタクトと先端（tip）導電コンタクトを含み、先端導電コンタクトは、環状導電コンタクトから絶縁され、第一導電コンタクトとして機能し、環状導電コンタクトは、第二導電コンタクトとして機能する。
【発明の効果】
【００１１】
本発明の発光装置により、公知の電球との互換性が容易であるという長所が提供される。
【図面の簡単な説明】
【００１２】
【図１】公知の電球を示す図である。
【図２Ａ】本具体例による発光装置を示す図である。
【図２Ｂ】本具体例による放熱ハウジングを有する例を示す図である。
【図２Ｃ】本具体例による放熱、又は、強度再強化設計を示す図である。
【図２Ｄ】本具体例による放熱、又は、強度再強化設計を示す図である。
【図２Ｅ】本具体例による放熱、又は、強度再強化設計を示す図である。
【図２Ｆ】本具体例による放熱、又は、強度再強化設計を示す図である。
【図２Ｇ】本具体例による放熱、又は、強度再強化設計を示す図である。
【図３】本具体例による放熱ベースを示す図である。
【図４】発光装置のもう一つの例を示す図である。
【図５】本具体例による放熱ベースを示す図である。
【図６】発光装置のもう一つの例を示す図である。
【図７】本具体例による放熱ベースと絶縁体を示す図である。
【図８】本具体例による図７のＡ−Ａ’に沿った放熱ベース、絶縁体、及び、コンタクトベースの断面図である。
【図９】発光装置のもう一つの例を示す図である。
【図１０】コンタクトベース中に電力サージ抑制器を配置した例を示す図である。
【発明を実施するための形態】
【００１３】
具体例は、装置の一部として整合される放熱構造を有する発光装置を提供する。用途や設計に基づくと、発光装置は、更に、コンタクトベースを有し、標準的な電球ソケットと互換性がある。現行のソケットとの互換性は標準的な電球との互換性を可能にし、電球を、更に信頼性が高く、寿命が長く、熱生成が少なく、異なる色（色温度）を提供するか、又は、エネルギー効率を改善する発光装置に交換する長所を提供する。
【００１４】
エネルギー効率がよい発光源の例として、ソリッドステート（又は、半導体として知られる）発光源、例えば、発光ダイオード（ＬＥＤ）は、熱生成を少なくしながら、光度（又は、輝度）を提供する。ＬＥＤベースの装置において、ＡＣ電源により直接駆動される装置は、様々な家、オフィス、工業的用途に適する。ある具体例中、小尺寸のソリッドステートの発光源は、設計の融通性、例えば、列、リング、クラスタ、又は、特定のパターンに配置された異なる数量のＬＥＤと様々な設計アレンジを提供する。ソリッドステートの発光源は長い寿命がある（ランプ寿命が長い）。具体例によると、発光装置の放熱装置はＬＥＤの放熱を提供し、安全で、信頼性が高い、又は、様々な用途の発光装置の適用性を提供する。
【００１５】
《実施例１》
図２は、本発明の具体例による発光装置を示す図である。図２を参照すると、発光装置１００は、放熱ベース１０２、発光ユニット１０４、第一電極１０６、第二電極１０８、及び、ハウジング１１０を有している。放熱ベース１０２は、上部１０２ａと下部１０２ｂからなる。下部１０２ｂは、図２で示される表面等の露出した放熱表面を含む。
【００１６】
図３は、放熱ベース１０２の具体例を示す図である。具体例中、上部１０２ａは放熱ベース１０２の下部から延伸する上向き突起で、上表面を提供して、発光ユニット１０４を搭載する。もう一つの具体例中、上向き突起は発光ユニット１０４の位置を上昇させ、発光装置の中央を調整し、標準的な電球と同様の外観や設計を創造する。ある具体例中、放熱ベース１０２は、導電性を提供する導電材料か、又は、迅速に放熱可能な良好な熱伝導性を有する材料を含む。例として、アルミニウム、アルミニウム含有合金、銅含有合金、及び、その他の合金又は金属が放熱ベース１０２に用いられて、熱伝導性を提供する。
【００１７】
図２を参照すると、発光ユニット１０４が、放熱ベース１０２の上部１０２ａに位置し、上部１０２ａに搭載される。発光ユニット１０４と放熱ベース１０２間の直接、又は、間接的な接触が設定され、これにより、双方か、又は、少なくとも発光ユニット１０４から放熱ベース１０２への熱伝導性を提供する。開示される具体例中、熱伝導性は、材料又は構造における、一点から他の一点への熱の伝達のための媒体としての能力に帰することとなる。発光ユニット１０４は、一具体例中、ソリッドステート（或いは、半導体）発光装置である。一具体例中、発光ユニット１０４は、一つ、或いは、それ以上の発光ダイオード（図示しない）を含み、発光メカニズムやプロセスの一部で、熱を生成する。発光ダイオードは、電力入力端を有し、電力を受けて、発光ダイオードに入力する。一具体例中、電力入力端は、発光ユニット１０４の表面上に提供され、図３で示されるように、電極１０６と電極１０８は、発光ユニット１０４の上部で、発光ユニット１０４に結合され、電力入力端、例えば、入力コンタクトパッド、ピン、或いは、リード（図示しない）等を提供する。設計、外観、又は、用途に基づくと、電力入力端は、交流電流（ＡＣ）入力端か直流電流（ＤＣ）入力端である。一具体例中、発光ダイオードは、交流電流（ＡＣ）、直流電流（ＤＣ）、或いは、ＡＣとＤＣ両方に設計された発光ダイオードアセンブリ（の一部）である。一具体例中、アセンブリは、一ブリッジ整流回路か、二個、或いは、それ以上のブリッジ整流回路に配列された複数の発光ダイオードを含む。一具体例中、４つのアームかブランチがブリッジ整流回路にあり、各アームやブランチは、一つ、或いは、それ以上の発光ダイオードを含む。つまり、ＡＣ電力が発光装置１００に供給される時、整流ダイオードとなる発光ダイオードの使用により、外部の整流回路の必要性が除かれる。一具体例中、発光ダイオードはＤＣ発光ダイオードアセンブリ（の一部）である。ＤＣ発光ダイオードアセンブリは、一つ、或いは、それ以上のブリッジ整流回路に結合される。一具体例中、ＤＣ発光ダイオードアセンブリ自身は、整流機能を提供する必要がなく、直接、ＤＣ電力を受けるか、或いは、ブリッジ整流回路の使用により、ＡＣ電力を受信する。ブリッジ整流器は、ダイオード等のその他の素子を使用し、外側に配置されるか、発光装置１００内、例えば、発光ユニット１０４の一部として、放熱ベース１０２内か、或いは、ハウジング１１０内に配置される。
【００１８】
図２を参照すると、第一電極１０６と第二電極１０８が発光ダイオードの入力端に電気的に結合される。一具体例中、第一電極１０６と第二電極１０８は導電リードかワイヤで、これらのうち一つか両方は、保護カバー、又は、絶縁カバーを有する。図３を参照すると、一具体例中、第一電極１０６と第二電極１０８は、放熱ベース１０２の一部を通過し、一つ、或いは、それ以上の通孔を提供する。一具体例中、放熱ベース１０２の一、或いは、それ以上の部分は、内側導電（電気的な導電）経路を提供し、第一電極１０６、第二電極１０８、或いは、両方の一部となる。放熱ベース１０２の一部が導電経路となる時、保護体、又は、絶縁体が追加されて、電流漏れを防止し、安全に対する懸念を減少させる。
【００１９】
図２を参照すると、ハウジング１１０は、発光ユニット１０４の少なくとも一部を囲み、放熱ベース１０２の一部、例えば、上部１０２ａを被覆する。一具体例中、ハウジング１１０は、ハウジング中の発光ユニット１０４、第一、第二電極１０６、１０８の上部を囲む。一具体例中、ハウジング１１０は、放熱ベース１０２の一部分上に搭載される。一具体例中、ハウジング１１０は、全部、又は、一部が透明で、有色か無色で、発光拡散効果がある、若しくはない材料を含む。一具体例中、ハウジング１１０は、封閉ハウジングで、発光装置１００上のごみや湿気により生じる影響を防止する。
【００２０】
別の具体例中、ハウジング１１０は放熱ハウジングで、二個かそれ以上の放熱のための開口をハウジング１１０中か放熱ベース１０２中に有する。放熱ハウジングの例が図２Ｂで示され、図２Ｂにおいては、本具体例による放熱ハウジングを有する例を示している。図２Ｂのように、ハウジング１１０は放熱ホール１１０ｖを有する。放熱ベース１０２は一つ、或いは、それ以上の放熱ホール、例えば、放熱ホール１０２ｖを有する。放熱ホールは空気をハウジング１１０中の空間で流通させて、発光ユニット１０４により生成される熱の一部を消失させる。他の具体例中、ハウジング１１０は、様々な場所で、複数の放熱ホールを提供する。
【００２１】
放熱ベース１０２と発光ユニット１０４の一つ、或いは、両方は、確実な放熱、又は、強度再強化設計（strength-re-enforcement design）が提供される。図２Ｃ〜図２Ｇは、具体例による放熱、又は、強度再強化設計を示す図である。図２Ｃを参照すると、発光ユニット１０４はベース部分１０４ｂを有し、発光ユニット１０４の発光源領域に装着され、発光ユニット１０４により生成される熱を放散しやすくする。これに対し、ベース部分１０４ｂは垂直に延伸し、（発光ユニット１０４というより）放熱ベース１０２の一部となる。図２Ｄ〜図２Ｇは、ベース部分１０４ｂの形状設計、例えば、４個のフィン、又は、６か８個の長方形か三角形フィンを有する複数のフィン設計の断面設計を示す図である。
【００２２】
図２を参照すると、一具体例中、発光装置１００は、放熱ベース１０２の近傍又は下に位置するか、放熱ベース１０２の一部に装着される第一導電コンタクト１０６ａと第二導電コンタクト１０８ａを有する。第一導電コンタクト１０６ａは、第一電極１０６に電気的に接続され、第二導電コンタクト１０８ａは、第二電極１０８に電気的に接続される。一具体例中、絶縁体１２２が第一導電コンタクト１０６ａと第二導電コンタクト１０８ａ間に設置され、互いを絶縁する。
【００２３】
一具体例中、発光装置１００は、更に、放熱ベース１０２の下部１０２ｂ下に、コンタクトベース１１２（ランプベースとしても知られる）を有する。コンタクトベース１１２は、二個かそれ以上の導電コンタクトを有し、一具体例中、第一導電コンタクト１０６ａとして機能する導電コンタクトチップと、第二導電コンタクト１０８ａとして機能する環状導電コンタクトと、を有する。一具体例中、導電コンタクトチップは、第一電極１０６に電気的に接続され、環状導電コンタクトから絶縁される。環状導電コンタクトは、第二電極１０８に電気的に接続される。一具体例中、コンタクトベース１１２が用いられる時、上述の（放熱ベース１０２の一部であった）第一導電コンタクト１０６ａと第二導電コンタクト１０８ａは、第一導電コンタクト１０６ａと第二導電コンタクト１０８ａの間に挟まれた絶縁体１２２により、コンタクトベース１１２中に組み入れられる。また、発光装置１００は、更に、放熱ベース１０２とコンタクトベース１１２間に絶縁体１１４を有し、絶縁体が、放熱ベース１０２の下部１０２ｂに搭載、又は、装着される。一具体例中、絶縁体１１４は、熱絶縁体、電気絶縁体、又は、これらの両方を、放熱ベース１２０とコンタクトベース１１２間に提供する。一具体例中、通孔１１４ａが絶縁体１１４中に設けられ、これにより、第一、第二電極１０６、１０８がコンタクトベース１１２に接触している。
【００２４】
ある具体例中、コンタクトベース１１２は、標準の電球コンタクト設計の一つと互換性があるコンタクト（或いは、ランプベース）設計を含み、一つ、或いは、それ以上の標準電球と発光装置１００の互換性を提供する。図２を参照すると、コンタクトベース１１２は、標準的な“スクリューベース”を提供し、一中央コンタクトと、ベースシェルの上部縁（又は、その部分）を囲む環状コンタクトと、を含む。ベースシェルは、銅、アルミニウム、或いは、合金等の導電材料からなる。“スクリューベース”設計の例は、燭台ベース (Ｅ１２)、 中間ベース (Ｅ１７)、 媒介ベース (Ｅ２６)、 モーグルベース (Ｅ３９)、バイオネットベース等である。また、コンタクトベース１１２は、２ピン、３ピン、又は、４ピン設計等のピンベースのコンタクトを提供するように設計され、ハロゲンランプや他の電球やランプに用いられる。
【００２５】
上述のように、発光装置１００は、放熱ベース１０２、発光ユニット１０４、第一電極１０６、第二電極１０８、ハウジング１１０、第一導電コンタクト１０６ａ、第二導電コンタクト１０８ａ、コンタクトベース１１２、絶縁体１１４等、様々な必須の部品又は任意の部品を含む。発光装置１００の二部分の接続や、二部分間のギャップの封止に、シーリング材料が用いられる。電気絶縁が必要な具体例においては、シリコンやシリコンベースのシーラント（又は、接着剤）等のシーリング材料が用いられる。
【００２６】
例として、図２で示されるように、放熱ベース１０２は囲み部分を有し、内壁１０２ｃが、ハウジング１１０か、ハウジング１１０の“ネック”か、ハウジング１１０の下部に設置される。具体例中、シーリング材料１１６、例えば、シリコンベース接着剤が、二部分間のスペースを結合するか封止するのに用いられる。具体例中、シーリング材料１１６は二つの間の空間に充填されたり、ある具体例中で、気密、又は、水密性シーリングを提供し、ハウジング１１０中にごみや水が入り、発光ユニット１０４の信頼性に影響を及ぼすのを防止する。他の具体例中、シーリング材料は、放熱ベース１０２、絶縁体１１４、或いは、これらの両方に形成されている通孔１０２ｈ（提供されていれば）を充填する。
【００２７】
《実施例》
図４は、発光装置のもう一つの実施例を示す図である。図４中の発光装置１００Ａは図２中の発光装置１００と異なり、放熱ベース１０２Ａは上向き突起（上部１０２ａ）を含んでいない。図４中の放熱ベース１０２Ａは、上平面表面１６６を有し、発光装置１０４を搭載する。図４中の発光装置１００Ａのほかの部分は、図２の発光装置１００に用いられる構成と同じか類似している。
【００２８】
図５は、放熱ベースの具体例を示す図である。一具体例中、放熱ベース１０２は図４中の発光装置１００Aに用いられ、上平面表面１６６を提供し、発光ユニット１０４を搭載する。放熱ベース１０２Aは通孔１０２ｈを提供し、電極１０６、１０８が、放熱ベース１０２Ａを通過する。
【００２９】
図６は、発光装置のもう一つの具体例を示す図である。図６中の発光装置１００Ｂは図２中の発光装置１００と異なり、図６中で示される放熱装置１０２Ｂの下部から下向けに延伸する下向き突起１０２ｄを含む。一具体例中、下向き突起１０２ｄは、発光装置１００Ｂの組み立て、製造を容易にする。例えば、絶縁体１１４は対応するカップホールを有し、下向き突起１０２ｄがカップホールに適合する。絶縁体１１４は通孔１１４ｈを有し、二個、或いは、それ以上の電極が絶縁体１１４を通過する。ある具体例中、この設計は、発光装置１００Ｂの交換可能性を提供し、コンタクトベース１１２と絶縁体１１４を代替せずに、放熱ベース１０２Ｂ、発光ユニット１０４、第一電極１０６、第二電極１０８、及び、ハウジング１１０を代替することができる。具体例中、導電接触点が成分の二群間に提供されて、交換可能性を提供する。カップホールと下向き突起１０２ｄは、接着剤やシーラントの使用、不使用により接着するように設計される。
【００３０】
図７は、放熱ベースと絶縁体の具体例を示す図である。図７を参照すると、放熱ベース１０２Ｂと絶縁体１１４は、図６中の発光装置１００Ｂに用いられる。放熱ベース１０２Ｂは上平面表面１６６を有し、発光装置１０４を搭載する。下向き突起１０２ｄは放熱ベース１０２Ｂから延伸して、カップホール１１４ａに適合する。絶縁体１１４は通孔１１４ｈを提供することにより、二個、或いは、それ以上の電極が絶縁体１１４を通過するのを可能としており、下向き突起１０２ｄとカップホール１１４ａは、二、或いは、それ以上の接触点、例えば、導電コンタクトパッド、又は、ワイヤやリードの分離が不要な互いに適合するピン−ピン受信器ペアを提供できるように設計される。また、図７は、放熱ベース１０２Ｂの部分上の放熱フィン１０２ｆを提供する設計も示している。図７では、二垂直延伸フィンしか示されていないが、放熱フィンの数量、形状、尺寸、及び、構造は異なる具体例で変化する。
【００３１】
図７中の構造の例を更に示すために、図８は、具体例による図７のＡ−Ａ’に沿った放熱ベース、絶縁体、及び、コンタクトべースの断面を示す。具体例中、放熱ベース１０２Ｂと絶縁体１１４は、下向き突起１０２ｄとカップホール１１４ａとがきつくまることにより、又は、接着剤とシーラントにより互いに接着する。例えば、具体例中、シーリング剤１１８は、下向き突起１０２ｄとカップホール１１４ａ間のスペースに充填される。他の具体例中、シーリングや接着剤は不要である。
【００３２】
図９は、発光装置のもう一つの例を示す図である。図９を参照すると、発光装置１００Ｃは電力サージ抑制器１２０を有し、第一、第二電極１０６と１０８のどちらかに電気的に接続される。一具体例中、電力サージ抑制器１２０は第二電極１０８に直列され、導電経路の一部を提供する。具体例中、電力サージ抑制器１２０はレジスタかバリスタで、例えば、ハウジング１１０、放熱ベース１０２、絶縁体１１４、或いは、コンタクトベース１１２中の発光装置１０４の電源と発光ダイオード間のどこかに設置される。図１０は、コンタクトベース１１２中の電力サージ抑制器１２０の配置例を示す図で、電力サージ抑制器１２０は第一電極１０６の導電経路に沿って直列接続される。
【００３３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符合の説明】
【００３４】
１０…電球
１２…ハウジング
１４…ベース
１６…フィラメント
１００、１００Ａ、１００Ｂ、１００Ｃ…発光装置
１０２、１０２Ａ…放熱ベース
１０４…発光ユニット
１０４ｂ…ベース部分
１０６…第一電極
１０８…第二電極
１１０…ハウジング
１０２ａ…上部
１０２ｂ…下部
１０２ｃ…内壁
１０２ｄ…下向き突起
１０２ｈ…通孔
１０２ｆ…放熱フィン
１０２Ｖ…放熱ホール
１０６…第一導電コンタクト
１０８…第二導電コンタクト
１１０Ｖ…放熱ホール
１１２…コンタクトベース
１１４…絶縁体
１１４ａ…カップホール
１１４ｈ…通孔
１１６…シーリング材料
１２０…電力サージ抑制器
１６６…上平面表面
【図１】
2010114435.tif 000003
【図２Ａ】
2010114435.tif 000004
【図２Ｂ】
2010114435.tif 000005
【図２Ｃ】
2010114435.tif 000006
【図２Ｄ】
2010114435.tif 000007
【図２Ｅ】
2010114435.tif 000008
【図２Ｆ】
2010114435.tif 000009
【図２Ｇ】
2010114435.tif 000010
【図３】
2010114435.tif 000011
【図４】
2010114435.tif 000012
【図５】
2010114435.tif 000013
【図６】
2010114435.tif 000014
【図７】
2010114435.tif 000015
【図８】
2010114435.tif 000016
【図９】
2010114435.tif 000017
【図１０】
2010114435.tif 000018
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
発光装置であって、
上部と下部を含み、前記下部が露出した放熱表面を有する放熱ベースと、
発熱とともに発光し、かつ、交流電流入力端または直流電流入力端のいずれかからなる電力入力端であって、入力電力を受信するための電力入力端を備える少なくとも一つの発光ダイオードと、前記少なくとも一つの発光ダイオードの前記電力入力端に電気的に接続される第一電極及び第２電極と、を有し、前記放熱ベースの前記上部の上に位置し、少なくとも前記放熱ベースに熱伝導性を与える発光ユニットと、
前記発光ユニットの少なくとも一部を囲み、前記放熱ベースのうち少なくとも前記上部を被覆するハウジングと、
前記放熱ベースの近傍または前記放熱ベースの下に位置し、外部の電源からの電力を受信するように構成される第一導電コンタクト及び第二導電コンタクトと、を備え、
前記第一導電コンタクトは前記第一電極に電気的に接続され、前記第二導電コンタクトは前記第二電極に電気的に接続されることを特徴とする発光装置。
【請求項２】
前記放熱ベースの前記下部の下に位置し、少なくとも二つの導電コンタクトであって、環状導電コンタクト及び先端導電コンタクトを含む導電コンタクトを有するコンタクトベースと、
前記放熱ベースと前記コンタクトベース間に位置し、前記放熱ベースの前記下部に搭載される絶縁体と、を更に有し、
前記先端導電コンタクトは、前記環状導電コンタクトから絶縁され、前記第一導電コンタクトとして機能し、前記環状導電コンタクトは、前記第二導電コンタクトとして機能することを特徴とする請求項１に記載の発光装置。
【請求項３】
前記コンタクトベースは、標準の電球のコンタクト設計の一つと互換性があるコンタクト設計を含み、少なくとも一つの電球と前記発光装置との間の互換性を提供することを特徴とする請求項２に記載の発光装置。
【請求項４】
前記放熱ベースの少なくとも一部は導電材料を含むことを特徴とする請求項１〜３のいずれかに記載の発光装置。
【請求項５】
前記第一電極及び前記第二電極は、前記放熱ベースの少なくとも一部を通過する二個の導電リードを有することを特徴とする請求項１〜４のいずれかに記載の発光装置。
【請求項６】
前記ハウジングは、少なくとも一部が透明である材料を含むとともに、封閉ハウジング又は少なくとも二個の放熱用の開口を有する放熱ハウジングのいずれかを含むことを特徴とする請求項１〜５のいずれかに記載の発光装置。  
【請求項７】
前記の少なくとも一つの発光ダイオードは、ブリッジ整流回路に配列された少なくとも一つの発光ダイオードを含むＡＣ発光ダイオードアセンブリの一部を含むことを特徴とする請求項１〜６のいずれかに記載の発光装置。
【請求項８】
前記の少なくとも一つの発光ダイオードは、少なくとも一つのブリッジ整流回路に結合されたＤＣ発光ダイオードアセンブリの一部を含むことを特徴とする請求項１〜７のいずれかに記載の発光装置。  
【請求項９】
前記放熱ベースの前記上部は、前記発光ユニットを搭載するための上向き突起を有することを特徴とする請求項１〜８のいずれかに記載の発光装置。
【請求項１０】
前記発光装置中の少なくとも一つのギャップを封止するためのシーリング材料を更に含むことを特徴とする請求項１〜９のいずれかに記載の発光装置。
【請求項１１】
前記第一電極及び前記第二電極の少なくともいずれかに電気的に接続される電力サージ抑制器を更に有することを特徴とする請求項１〜１０のいずれかに記載の発光装置。
【請求項１２】
発光装置であって、
上部と下部を含み、前記下部が露出した放熱表面を有する放熱ベースと、
発熱とともに発光し、かつ、交流電流入力端または直流電流入力端のいずれかからなる電力入力端であって、入力電力を受信するための電力入力端を備える少なくとも一つの発光ダイオードと、前記少なくとも一つの発光ダイオードの前記電力入力端に電気的に接続される第一電極及び第２電極と、を有し、前記放熱ベースの前記上部の上に位置し、少なくとも前記放熱ベースに熱伝導性を与える発光ユニットと、
前記発光ユニットの少なくとも一部を囲み、前記放熱ベースのうち少なくとも前記上部を被覆するハウジングと、
外部の電源からの電力を受信するように構成され、前記第一電極に電気的に接続される第一導電コンタクト、及び、前記第二電極に電気的に接続される第二導電コンタクトと、
前記放熱ベースの前記下部の下に位置し、少なくとも二つの導電コンタクトであって、環状導電コンタクト及び先端導電コンタクトを含む導電コンタクトを有するコンタクトベースと、を備え、
前記先端導電コンタクトは、前記環状導電コンタクトから絶縁され、前記第一導電コンタクトとして機能し、前記環状導電コンタクトは、前記第二導電コンタクトとして機能することを特徴とする発光装置。
【請求項１３】
前記放熱ベースと前記コンタクトベース間に位置する絶縁体を更に含み、前記絶縁体は前記放熱ベースの前記下部に搭載されることを特徴とする請求項１２に記載の発光装置。
【請求項１４】
前記コンタクトベースは、標準の電球のコンタクト設計の一つと互換性があるコンタクト設計を含み、少なくとも一つの電球と前記発光装置との間の互換性を提供することを特徴とする請求項１２または１３に記載の発光装置。
【請求項１５】
前記放熱ベースの少なくとも一部は導電材料を含むことを特徴とする請求項１２〜１４のいずれかに記載の発光装置。
【請求項１６】
前記第一電極及び前記第二電極は、前記放熱ベースの少なくとも一部を通過する二個の導電リードを有することを特徴とする請求項１２〜１５のいずれかに記載の発光装置。
【請求項１７】
前記ハウジングは、少なくとも一部が透明である材料を含むとともに、封閉ハウジング又は少なくとも二個の放熱用の開口を有する放熱ハウジングのいずれかを含むことを特徴とする請求項１２〜１６のいずれかに記載の発光装置。
【請求項１８】
前記の少なくとも一つの発光ダイオードは、ブリッジ整流回路に配列された少なくとも一つの発光ダイオードを含むＡＣ発光ダイオードアセンブリの一部を含むことを特徴とする請求項１２〜１７のいずれかに記載の発光装置。
【請求項１９】
前記の少なくとも一つの発光ダイオードは、少なくとも一つのブリッジ整流回路に結合されたＤＣ発光ダイオードアセンブリの一部を含むことを特徴とする請求項１２〜１８のいずれかに記載の発光装置。
【請求項２０】
前記放熱ベースの前記上部は、前記発光ユニットを搭載するための上向き突起を有することを特徴とする請求項１２〜１９のいずれかに記載の発光装置。
【請求項２１】
前記発光装置中の少なくとも一つのギャップを封止するためのシーリング材料を更に含むことを特徴とする請求項１２〜２０のいずれかに記載の発光装置。
【請求項２２】
前記第一電極及び前記第二電極の少なくともいずれかに電気的に接続される電力サージ抑制器を更に有することを特徴とする請求項１２〜２１のいずれかに記載の発光装置。
【手続補正２】
【補正対象書類名】明細書
【補正対象項目名】００２３
【補正方法】変更
【補正の内容】
【００２３】
一具体例中、発光装置１００は、更に、放熱ベース１０２の下部１０２ｂ下に、コンタクトベース１１２（ランプベースとしても知られる）を有する。コンタクトベース１１２は、二個かそれ以上の導電コンタクトを有し、一具体例中、第一導電コンタクト１０６ａとして機能する導電コンタクトチップと、第二導電コンタクト１０８ａとして機能する環状導電コンタクトと、を有する。一具体例中、導電コンタクトチップは、第一電極１０６に電気的に接続され、環状導電コンタクトから絶縁される。環状導電コンタクトは、第二電極１０８に電気的に接続される。一具体例中、コンタクトベース１１２が用いられる時、上述の（放熱ベース１０２の一部であった）第一導電コンタクト１０６ａと第二導電コンタクト１０８ａは、第一導電コンタクト１０６ａと第二導電コンタクト１０８ａの間に挟まれた絶縁体１２２により、コンタクトベース１１２中に組み入れられる。また、発光装置１００は、更に、放熱ベース１０２とコンタクトベース１１２間に絶縁体１１４を有し、絶縁体が、放熱ベース１０２の下部１０２ｂに搭載、又は、装着される。一具体例中、絶縁体１１４は、熱絶縁体、電気絶縁体、又は、これらの両方を、放熱ベース１２０とコンタクトベース１１２間に提供する。一具体例中、通孔１１４ｈが絶縁体１１４中に設けられ、これにより、第一、第二電極１０６、１０８がコンタクトベース１１２に接触している。
【手続補正３】
【補正対象書類名】明細書
【補正対象項目名】００３４
【補正方法】変更
【補正の内容】
【００３４】
１０…電球
１２…ハウジング
１４…ベース
１６…フィラメント
１００、１００Ａ、１００Ｂ、１００Ｃ…発光装置
１０２、１０２Ａ…放熱ベース
１０４…発光ユニット
１０４ｂ…ベース部分
１０６…第一電極
１０８…第二電極
１１０…ハウジング
１０２ａ…上部
１０２ｂ…下部
１０２ｃ…内壁
１０２ｄ…下向き突起
１０２ｈ…通孔
１０２ｆ…放熱フィン
１０２ｖ…放熱ホール
１０６…第一導電コンタクト
１０８…第二導電コンタクト
１１０ｖ…放熱ホール
１１２…コンタクトベース
１１４…絶縁体
１１４ａ…カップホール
１１４ｈ…通孔
１１６…シーリング材料
１２０…電力サージ抑制器
１６６…上平面表面
【手続補正４】
【補正対象書類名】図面
【補正対象項目名】図２Ａ
【補正方法】変更
【補正の内容】
【図２Ａ】
2010114435.tif 000019
【手続補正５】
【補正対象書類名】図面
【補正対象項目名】図２Ｂ
【補正方法】変更
【補正の内容】
【図２Ｂ】
2010114435.tif 000020
【手続補正６】
【補正対象書類名】図面
【補正対象項目名】図２Ｃ
【補正方法】変更
【補正の内容】
【図２Ｃ】
2010114435.tif 000021
【外国語明細書】
2010114435000001.pdf
2010114435000002.pdf
2010114435000003.pdf
2010114435000004.pdf